(57)【要約】      （修正有）【課題】従来のセンサーライトとしての機能をそのままに、窃盗を行おうとする者に対し、効果的にその窃盗の意志を減滅させることが可能となる警告用のセンサーライトの提供を図る。【解決手段】センサー４によって人体を検知することにより一定時間照明灯を点灯させるセンサーライト１において、照明灯２とは別にさらに回転灯３を設けることで、人体を検知した際に照明灯とともに回転灯を点灯させる機能を備えた構成を採用している。【選択図】図１
0003108055.tif 000002
【実用新案登録請求の範囲】
【請求項１】
センサーによって人体を検知することにより一定時間照明灯を点灯させるセンサーライトにおいて、照明灯とは別にさらに回転灯を設けることで、人体を検知した際に照明灯とともに回転灯を点灯させる機能を備えたことを特徴とする警告用センサーライト。
【請求項２】
前記警告用センサーライトに警告音発生装置を設けることで、人体を検知した際に照明灯及び回転灯を点灯させるとともに警告音を発する機能を備えたことを特徴とする請求項１に記載の警告用センサーライト。
【考案の詳細な説明】
【技術分野】
【０００１】
本考案は、玄関先等に取付けられ、人体を検知して照明灯を点灯させるセンサーライトに関するものである。
【背景技術】
【０００２】
通常、住宅の玄関先等には、夜間の暗闇における危険を防止すべく、照明灯が設置されている。かかる照明灯は、室内の電源スイッチにより人為的に点灯及び消灯が行われるが、一旦点灯すると、夜更けまで消灯せず、場合によっては朝まで点灯し続けることが多々ある。このことは、不必要な時まで点灯させておくことから、電気代しいてはエネルギーの無駄使いとなる。
【０００３】
そこで、センサーにより人体を検知して、一定時間のみ照明灯を点灯させるセンサーライトが種々考案されている。これによれば、通常時は照明灯が消灯されたままであるが、人体を検知することで必要となった場合にのみ点灯し、その後一定時間を経過すると通常の消灯状態に戻ることとなるため、電気代及びエネルギー消費の節約となり、大変有益である。さらにこのセンサーライトは、エネルギー節約のみならず、空巣等の窃盗犯に対する防犯上の効果も奏する。すなわち、一般的に夜間に窃盗を行う者は暗闇を好むため、窃盗に入ろうとする住宅の玄関先等に近づいた際に、センサーがそれを検知して照明灯が点灯することで、窃盗の意志を減滅させる効果がある。
【０００４】
しかしながら、かかるセンサーライトも今ではかなり普及し、最近では窃盗犯の意志減滅には至らなくなってきている。事実、本件出願人は、所定の箇所に複数のセンサーライトを設置してあるが、かかる設置場所においても盗難事件が相次いで起こっており、防犯上、さらなる効果的なセンサーライトの開発が待たれるところである。
【考案の開示】
【考案が解決しようとする課題】
【０００５】
上記問題点に鑑み、本考案は、従来のセンサーライトとしての機能をそのままに、窃盗を行おうとする者に対し、効果的にその窃盗の意志を減滅させることが可能となる警告用のセンサーライトを提供することを目的とする。
【課題を解決するための手段】
【０００６】
前記目的を達成するため、本考案は、センサーによって人体を検知することにより一定時間照明灯を点灯させるセンサーライトにおいて、照明灯とは別にさらに回転灯を設けることで、人体を検知した際に照明灯とともに回転灯を点灯させる機能を備えた構成を採用している。
【０００７】
また、本考案は、前記警告用センサーライトに警告音発生装置を設けることで、人体を検知した際に照明灯及び回転灯を点灯させるとともに警告音を発する機能を備えた構成とすることもできる。
【考案の効果】
【０００８】
本考案にかかる警告用センサーライトによれば、センサーライトのもつ通常の効果、すなわち、通常時は照明灯が消灯されたままであるが、人体を検知することで必要となった場合にのみ点灯し、その後一定時間を経過すると通常の消灯状態に戻るといったことにより、電気代及びエネルギー消費の節約に繋がるという効果を有する。
【０００９】
また、本考案にかかる警告用センサーライトによれば、従来のセンサーライトにおいても発揮されていた防犯上の効果をさらに効果的に発揮することが可能となって、窃盗を行おうとする者の窃盗意志を減滅させるという効果を奏する。
【考案を実施するための最良の形態】
【００１０】
本考案にかかる警告用センサーライト１は、センサーライトにおける照明灯２とは別にさらに回転灯３を設けることで、該回転灯３による警告の効果を発揮させて、窃盗犯の窃盗意志の減滅を図ることを最大の特徴とする。以下、本考案にかかる警告用センサーライト１を図面に基づいて説明する。
【００１１】
図１及び図２は、本考案にかかる警告用センサーライト１の実施形態を示しており、図１は斜視図、図２は側面図である。該警告用センサーライト１は、従来のセンサーライト、すなわち、照明灯２とセンサー４とから構成されるセンサーライトに、さらに回転灯３が設けられている構成となっている。
【００１２】
上記照明灯２、回転灯３及びセンサー４は、基台Ｂに取付けられており、該基台Ｂの内部には、かかる照明灯２、回転灯３及びセンサー４を制御する装置が備えられている。該制御装置によって、センサー４から送られる人体検知情報を基に、照明灯２や回転灯３が制御される。すなわち、照明灯２及び回転灯３が点灯しあるいは消灯するという制御が行われる。組み込まれる制御の内容によって、点灯時間の長短やセンサー４の感度等を変更することが可能であることは、通常のセンサーライトと同様である。
【００１３】
尚、上記制御について、本考案独特の制御を行うことも可能である。例えば、センサー４が人体を検知した場合に、当初は照明灯２のみを点灯させ、一定時間を経過してもなおセンサー４から人体が検出される場合には回転灯３を点灯させる、などといった種々の制御を行わせることが可能であり、防犯上、最も有効な制御内容を選択すればよい。
【００１４】
センサー４による人体を検知する方法については、常法に従えばよく、一般には、人体からの赤外線を感知することによって、センサー４が人体を検知する方法が採用される。
【００１５】
回転灯３には、人の警戒心をあおる効果がある。したがって、本考案にかかる警告用センサーライト１が上記構成を採ることで、センサー４で窃盗を行おうとする者を検知した場合に回転灯３が点灯することによって、その者の警戒心をあおり窃盗の意志の減滅を図ることが可能となる。
【００１６】
また、本考案にかかる警告用センサーライト１において、さらに警告音発生装置５を設けることが考えられる。かかる構成とすることによって、センサー４により人体を検知した場合に、照明灯２及び回転灯３を点灯させると同時に、さらに警告音発生装置５から警告音が発せられることとなる。
【００１７】
警告音発生装置５を設ける方法については特に限定はなく、単独で基台Ｂに取付けたり、他の装置と一体とすることが考え得る。尚、図面においては、センサー４と一体化した場合を示している。
【００１８】
警告音発生装置５から発せられる警告音について、照明灯２など他の装置同様、基台Ｂ内部の制御装置により制御される。すなわち、警告音を発生しあるいは停止するという制御が行われる。また、組み込まれる制御の内容によって、警告音発声時間の長短や警告音の内容等を変更することが可能である。
【００１９】
尚、警告音発生装置５を設けることによる本考案にかかる警告用センサーライトの制御について、上記同様、本考案独特の制御を行うことも可能である。例えば、センサー４が人体を検知した場合に、当初は照明灯２のみを点灯させ、一定時間を経過してもなおセンサー４から人体が検出される場合には回転灯３を点灯させるとともに警告音を発生させる、などといった種々の制御を行わせることが可能であり、防犯上、最も有効な制御内容を選択すればよい。
【００２０】
警告音発生装置５を設けた構成を採用することで、窃盗を行おうとする者に対して、回転灯３による警告を行うだけでなく、警告音を発生させることにより、窃盗の意志の壊滅を図ることができ、さらなる防犯上の効果が発揮されることとなる。
【００２１】
図３及び図４は、本考案にかかる警告用センサーライト１を取付けた状態を示す使用説明図であり、図３は壁面Ｗに直接取付けた状態を示しており、図４は支柱Ｐ上端に取付けた状態を示している。図３に示す通り、本考案にかかる警告用センサーライト１は、従来の照明灯やセンサーライトと同様に、住宅の玄関先等の壁面Ｗに直接取付けて使用することができる。また、図４に示す通り、支柱Ｐの上端に取付けることもできるため、取付場所を選ぶことなくいたる所で本考案にかかる警告用センサーライト１を設置することが可能である。
【図面の簡単な説明】
【００２２】
【図１】本考案にかかる警告用センサーライトの実施形態を示す斜視図である。
【図２】本考案にかかる警告用センサーライトの実施形態を示す側面図である。
【図３】本考案にかかる警告用センサーライトを壁面に取付けた場合の使用状態を示す説明図である。
【図４】本考案にかかる警告用センサーライトを支柱上に取付けた場合の使用状態を示す説明図である。
【符号の説明】
【００２３】
１    警告用センサーライト
２    照明灯
３    回転灯
４    センサー
５    警告音発生装置
Ｂ    基台
Ｐ    支柱
Ｗ    壁面
【図１】
0003108055.tif 000003
【図２】
0003108055.tif 000004
【図３】
0003108055.tif 000005
【図４】
0003108055.tif 000006